(57)【要約】【課題】プラズマディスプレイ装置において、コントラストを向上させることを目的とする。【解決手段】発光させる放電セルを選択するアドレス放電を発生させるアドレス期間とこのアドレス期間で選択した放電セルで維持放電を発生させる維持期間とを有する複数のサブフィールドにより１フィールドを構成して前記プラズマディスプレイパネルの表示を行うプラズマディスプレイ装置であって、先頭のサブフィールドにおいて全ての放電セルで初期化放電を発生させるための全セル初期化パルスを印加する第１のフィールドＦ１と、先頭のサブフィールド以外において前記全セル初期化パルスを印加する第２のフィールドＦ２と、前記全セル初期化パルスを印加するサブフィールドが存在しない第３のフィールドＦ３とをそれぞれ１つ以上設けた。【選択図】図４
2009192592.tif 000002
【特許請求の範囲】
【請求項１】
複数の表示電極を配置した前面基板と前記表示電極に交差するようにデータ電極を配置した背面基板とを間に放電空間が形成されるように対向配置して複数の放電セルを形成したプラズマディスプレイパネルを有し、発光させる放電セルを選択するアドレス放電を発生させるアドレス期間とこのアドレス期間で選択した放電セルで維持放電を発生させる維持期間とを有する複数のサブフィールドにより１フィールドを構成して前記プラズマディスプレイパネルの表示を行うプラズマディスプレイ装置であって、先頭のサブフィールドにおいて全ての放電セルで初期化放電を発生させるための全セル初期化パルスを印加する第１のフィールドと、先頭のサブフィールド以外において前記全セル初期化パルスを印加する第２のフィールドと、前記全セル初期化パルスを印加するサブフィールドが存在しない第３のフィールドとをそれぞれ１つ以上設けたことを特徴とするプラズマディスプレイ装置。
【請求項２】
時間的に隣り合う２つの全セル初期化パルスを印加するサブフィールドの間隔は、所定の間隔Ｔｓ±４００μｓｅｃ以内の間隔としたことを特徴とする請求項１記載のプラズマディスプレイ装置。
【請求項３】
第１のフィールド、第２のフィールドおよび第３のフィールドの順に繰り返し出現するように構成したことを特徴とする請求項１記載のプラズマディスプレイ装置。
【請求項４】
第２のフィールドおよび第３のフィールドにおける少なくとも１つのサブフィールドのアドレス期間において、プラズマディスプレイパネルの電極に印加する駆動電圧波形は、第１のフィールドのサブフィールドのアドレス期間における駆動電圧波形と異ならせたことを特徴とする請求項１記載のプラズマディスプレイ装置。
【請求項５】
第２のフィールドおよび第３のフィールドにおける少なくとも１つのサブフィールドのアドレス期間において、プラズマディスプレイパネルの電極に印加する駆動電圧波形のパルス幅は、第１のフィールドのサブフィールドのアドレス期間においてプラズマディスプレイパネルの電極に印加する駆動電圧波形のパルス幅よりも広く設定したことを特徴とする請求項４記載のプラズマディスプレイ装置。
【請求項６】
第２のフィールドおよび第３のフィールドにおける少なくとも１つのサブフィールドのアドレス期間において、プラズマディスプレイパネルの電極に印加する駆動電圧波形の電圧は、第１のフィールドのサブフィールドのアドレス期間においてプラズマディスプレイパネルの電極に印加する駆動電圧波形の電圧よりも電位差が大きくなるように設定したことを特徴とする請求項４記載のプラズマディスプレイ装置。
【請求項７】
第２のフィールドおよび第３のフィールドにおいて、第１のフィールドの駆動電圧波形と異ならせるサブフィールドは、最初にアドレス放電を行うサブフィールドであることを特徴とする請求項４記載のプラズマディスプレイ装置。
【請求項８】
第２のフィールドおよび第３のフィールドにおいて、第１のフィールドの駆動電圧波形と異ならせるサブフィールドは、先頭のサブフィールドであることを特徴とする請求項４記載のプラズマディスプレイ装置。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化及び製造の簡便性から、現状では、プラズマディスプレイ装置の主流は、ＡＣ型かつ３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、パネルの駆動方法として、アドレス放電を生じやすい状態に壁電荷を調整する初期化期間と、入力画像信号に応じてアドレス放電を行うアドレス期間と、アドレス放電が生じた放電セルで維持放電を生じさせることによって表示発光を行う維持期間を含むサブフィールドという単位を１フィールド内で複数回繰り返すことによってプラズマディスプレイ装置の階調表示を行う方法が一般的に用いられる。
【０００６】
このうち、初期化期間には、初期化パルスを印加して直前の状態に関係なく初期化放電を生じさせる全セル初期化パルスと、直前に維持放電が生じたセルのみ初期化放電を生じさせる選択初期化期間の２種類があり、全セルに毎回必ず放電を生じさせて黒表示の輝度を上昇させる全セル初期化パルスを先頭のサブフィールドのみに設けることによって、１フィールドにおける初期化放電の回数を低減し、コントラストの向上を図る方法が用いられる（特許文献１参照）。
【特許文献１】特開２００６−１９５３２８号公報
【発明の開示】
【発明が解決しようとする課題】
【０００７】
本発明はコントラストを向上させたプラズマディスプレイ装置を提供することを目的とする。
【課題を解決するための手段】
【０００８】
この課題を解決するために本発明では、複数の表示電極を配置した前面基板と前記表示電極に交差するようにデータ電極を配置した背面基板とを間に放電空間が形成されるように対向配置して複数の放電セルを形成したプラズマディスプレイパネルを有し、発光させる放電セルを選択するアドレス放電を発生させるアドレス期間とこのアドレス期間で選択した放電セルで維持放電を発生させる維持期間とを有する複数のサブフィールドにより１フィールドを構成して前記プラズマディスプレイパネルの表示を行うプラズマディスプレイ装置であって、先頭のサブフィールドにおいて全ての放電セルで初期化放電を発生させるための全セル初期化パルスを印加する第１のフィールドと、先頭のサブフィールド以外において前記全セル初期化パルスを印加する第２のフィールドと、前記全セル初期化パルスを印加するサブフィールドが存在しない第３のフィールドとをそれぞれ１つ以上設けたことを特徴とする。
【発明の効果】
【０００９】
本発明によれば、１フィールドあたりの平均の全セル初期化パルスの回数を減らすことができ、黒輝度を下げてコントラストを向上することができる。
【００１０】
また本発明によれば、先頭のサブフィールド以外に全セル初期化パルスを印加するフィールドもしくは、全セル初期化パルスを印加しないフィールドにおいて、最初にアドレス放電を行うサブフィールドのアドレス放電を強めることが可能となるため、表示放電が弱まることによる表示品質の悪化を生じさせずにコントラストを向上させることができる。
【発明を実施するための最良の形態】
【００１１】
以下、本発明の一実施の形態によるプラズマディスプレイ装置について、図１〜図１１を用いて説明する。
【００１２】
まず、本発明の実施の形態におけるプラズマディスプレイ装置のパネルの構造について図１を用いて説明する。
【００１３】
図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３及び維持電極４を覆うように誘電体層５が形成され、誘電体層５上には保護層６が形成されている。
【００１４】
また、背面基板２上には絶縁体層７で覆われた複数のデータ電極８が設けられ、その絶縁体層７上には井桁状の隔壁９が設けられている。また、絶縁体層７の表面及び隔壁９の側面に蛍光体層１０が設けられている。そして、走査電極３及び維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１５】
図２は、本発明の実施の形態におけるパネルに配置される電極の概略を示したものである。表示電極のうち維持電極Ｘ１〜Ｘｎ及び走査電極Ｙ１〜Ｙｎは水平方向にそれぞれ対をなして配置され、データ電極Ａ１〜Ａｍは垂直方向に配置される。表示電極とデータ電極の交差する位置には複数の放電セルが形成されている。
【００１６】
本発明のプラズマディスプレイ装置においては、１フィールドを複数のサブフィールドに分割し、各サブフィールドに発光させる放電セルを選択するアドレス期間と、このアドレス期間で選択した放電セルで維持放電を行う維持期間とを設けて発光表示を行うとともに、各サブフィールドにおける維持期間に印加する維持パルスの数の重み付けを制御することにより階調制御を行っている。また、パネルの放電セルの電荷を調整するために、適宜、全ての放電セルで初期化放電を発生させる全セル初期化パルスを印加する初期化期間を設けている。
【００１７】
図３は、本発明の一実施の形態におけるプラズマディスプレイ装置におけるフィールドの構成を説明するための図であり、本発明の実施の形態では、フィールドはフィールドＦ１、Ｆ２、Ｆ３の３種類であり、この順番で繰り返し出現する。
【００１８】
図４に、図３におけるフィールドＦ１、Ｆ２、Ｆ３のサブフィールドの構成を示している。それぞれのフィールドは、第１サブフィールドＳＦ１から第８サブフィールドＳＦ８までの８つのサブフィールドを有し、全ての放電セルで初期化放電を発生させるための全セル初期化パルスを印加するサブフィールド１１と全セル初期化パルスを印加しないサブフィールド１２、１３、１４から構成されている。なお、これらのサブフィールド１１、１２、１３、１４においては、発光させる放電セルを選択するアドレス放電を発生させるアドレス期間と、このアドレス期間で選択した放電セルで維持放電を発生させる維持期間とをそれぞれ有している。
【００１９】
さらに、各フィールドの構成について説明すると、フィールドＦ１における第１サブフィールドＳＦ１には、全セル初期化パルスを印加するサブフィールド１１を配置し、第２サブフィールドＳＦ２〜第７サブフィールドＳＦ７には、全セル初期化パルスを印加しないサブフィールド１２を配置し、最終サブフィールドである第８サブフィールドＳＦ８にも、全セル初期化パルスを印加しないサブフィールド１３を配置している。
【００２０】
また、フィールドＦ２においては、第１サブフィールドＳＦ１には、全セル初期化パルスを印加しないサブフィールド１４を配置し、第５サブフィールドＳＦ５には、全セル初期化パルスを印加するサブフィールド１１を配置し、最終サブフィールドである第８サブフィールドＳＦ８には、全セル初期化パルスを印加しないサブフィールド１３を配置し、そしてそれ以外のサブフィールドには、全セル初期化パルスを印加しないサブフィールド１２を配置している。
【００２１】
また、フィールドＦ３においては、第１サブフィールドＳＦ１には、全セル初期化パルスを印加しないサブフィールド１４を配置し、第２サブフィールドＳＦ２〜第７サブフィールドＳＦ７には、全セル初期化パルスを印加しないサブフィールド１２を配置し、最終サブフィールドである第８サブフィールドＳＦ８には、全セル初期化パルスを印加しないサブフィールド１３を配置している。
【００２２】
次に、各サブフィールド１１、１２、１３、１４の具体的な駆動電圧波形について説明する。
【００２３】
図５は、全セル初期化パルスを印加するサブフィールド１１の駆動電圧波形の詳細を示す図で、走査電極Ｙ１〜Ｙｎのうちｉ番目の表示ラインを構成する走査電極Ｙｉおよび維持電極Ｘ１〜Ｘｎのうちｉ番目の表示ラインを構成する維持電極Ｘｉおよびデータ電極Ａ１〜Ａｍのうちｊ番目の列に印加されるデータ電極Ａｊにそれぞれ印加される駆動電圧波形を示している。
【００２４】
図５において、全ての放電セルで初期化放電を発生させるための全セル初期化パルスを印加するサブフィールド１１は、全ての放電セルで初期化放電を発生させるための全セル初期化期間１５および発光させる放電セルを選択するアドレス放電を発生させるアドレス期間１６およびこのアドレス期間で選択した放電セルで維持放電を発生させる維持期間１７より構成される。
【００２５】
全セル初期化期間１５では、走査電極Ｙｉに電圧が全セル初期化電圧Ｖｒとなるような全セル初期化パルスを印加する。この全セル初期化電圧Ｖｒは直前の状態にかかわらずパネルの全ての放電セルにおいて放電を生じさせるのに十分な電圧とする。一般的に、全セル初期化電圧Ｖｒに到達するまでの電圧変化は、図５に示すように、緩やかに電圧が変化する期間を含むことによって、安定した微弱放電を全セルで起こすことが可能となり、同時に放電による発光が弱まるため、黒輝度を低減できる。全セル初期化電圧Ｖｒを印加した後は、走査電極Ｙｉの電圧を電圧が緩やかに変化する期間を経てＶｃ２の電圧まで下げ、走査電極Ｙｉの電圧が緩やかに変化する期間において、維持電極ＸｉにＶｅの電圧を印加する。このような構成にすることによって、走査電極Ｙｉと維持電極Ｘｉ間で微弱放電を生じさせることによって、放電セル内の壁電荷の調整を行う。
【００２６】
続くアドレス期間１６では、走査電極Ｙｉにベース電圧Ｖａを印加し、それに重畳するように、パルス幅Ｔａ、電圧Ｖｃのスキャンパルスを表示ラインごとに印加する。このとき維持電極ＸｉにはＶｅの電圧を印加する。データ電極Ａｊには、表示を行う放電セルにのみスキャンパルスに同期したタイミングで同じくパルス幅Ｔａ、電圧Ｖｄのデータパルスを印加し、データパルスを印加したときだけ走査電極Ｙｉとデータ電極Ａｊ間の電圧が放電開始電圧を超えるように電圧Ｖｄを設定することで、データパルスが印加された放電セルのみでまず走査電極Ｙｉとデータ電極Ａｊ間で放電が発生し、この放電をトリガとして走査電極Ｙｉと維持電極Ｘｉ間の電位差によってこれらの電極間にも放電が発生し、各電極上に壁電荷が蓄積される。この一連の放電をアドレス放電と呼ぶ。
【００２７】
続く維持期間１７においては、維持パルスが走査電極Ｙｉおよび維持電極Ｘｉに交互に印加される。このとき、アドレス放電が生じた放電セルでは、蓄積された壁電荷に維持電圧Ｖｓが重畳されて放電セルにかかることになり、放電セルにかかる電圧が放電開始電圧を超えて維持放電が発生し、プラズマディスプレイの表示が行われる。壁電荷の蓄積がなかった放電セルでは、維持電圧Ｖｓのみが放電セルにかかるため、放電セルにかかる電圧が放電開始電圧を超えることがなく、維持放電が発生しない。
【００２８】
図６は、全セル初期化パルスを印加しないサブフィールド１２の駆動電圧波形の詳細を示す図で、走査電極Ｙ１〜Ｙｎのうちｉ番目の表示ラインを構成する走査電極Ｙｉおよび維持電極Ｘ１〜Ｘｎのうちｉ番目の表示ラインを構成する維持電極Ｘｉおよびデータ電極Ａ１〜Ａｍのうちｊ番目の列に印加されるデータ電極Ａｊにそれぞれ印加される駆動電圧波形を示している。
【００２９】
図６において、サブフィールド１２は、直前のサブフィールドで発光した放電セルで初期化放電を発生させるための選択初期化期間１８および発光させる放電セルを選択するアドレス放電を発生させるアドレス期間１６およびこのアドレス期間で選択した放電セルで維持放電を発生させる維持期間１７より構成される。サブフィールド１２におけるアドレス期間１６および維持期間１７の駆動電圧波形および動作については、前述のサブフィールド１１におけるものと同様であるため説明を省略する。
【００３０】
選択初期化期間１８では、走査電極Ｙｉの電圧を緩やかに変化させながら選択初期化電圧Ｖｓまで上昇させ、その後、一度電位０まで急峻に下げた後、緩やかに変化させながら電圧をＶｃ２の電圧まで下げる。選択初期化期間１８においては、直前のサブフィールドの維持期間１７において維持放電が起きた場合のみ、電圧の上昇および下降期間の両方において微弱放電が生じる。この微弱放電により、アドレス放電に必要な壁電荷を蓄積することができる。なお、本実施の形態においては、選択初期化電圧を維持電圧と同じ電圧Ｖｓに設定しているが、もちろん維持電圧と異なる電圧にしてもよい。
【００３１】
図７は、全セル初期化パルスを印加しないサブフィールド１３の駆動電圧波形の詳細を示す図で、走査電極Ｙ１〜Ｙｎのうちｉ番目の表示ラインを構成する走査電極Ｙｉおよび維持電極Ｘ１〜Ｘｎのうちｉ番目の表示ラインを構成する維持電極Ｘｉおよびデータ電極Ａ１〜Ａｍのうちｊ番目の列に印加されるデータ電極Ａｊにそれぞれ印加される駆動電圧波形を示している。
【００３２】
図７において、サブフィールド１３は、直前のサブフィールドで発光した放電セルで初期化放電を発生させるための選択初期化期間１８および発光させる放電セルを選択するアドレス放電を発生させるアドレス期間１６およびこのアドレス期間で選択した放電セルで維持放電を発生させる維持期間１７より構成される。ここで、サブフィールド１２と異なるのは、選択初期化期間１８がサブフィールドの最初と最後にあることである。サブフィールド１３をフィールドの最終サブフィールドとすることで、最終サブフィールドで維持放電が発生した場合においても選択初期化を行うことが可能となり、次のフィールドの最初のサブフィールド直前の壁電荷の状態を、常に選択初期化放電が発生した状態に揃えることができる。それぞれの期間の駆動電圧波形および動作については、前述のサブフィールド１２で説明したものと同様であるため説明を省略する。
【００３３】
図８は、全セル初期化パルスを印加しないサブフィールド１４の駆動電圧波形の詳細を示す図で、走査電極Ｙ１〜Ｙｎのうちｉ番目の表示ラインを構成する走査電極Ｙｉおよび維持電極Ｘ１〜Ｘｎのうちｉ番目の表示ラインを構成する維持電極Ｘｉおよびデータ電極Ａ１〜Ａｍのうちｊ番目の列に印加されるデータ電極Ａｊにそれぞれ印加される駆動電圧波形を示している。
【００３４】
図８において、サブフィールド１４は、発光させる放電セルを選択するアドレス放電を発生させるアドレス期間１６およびこのアドレス期間で選択した放電セルで維持放電を発生させる維持期間１７により構成され、それぞれの期間の駆動電圧波形および動作については、前述のサブフィールド１２で説明したものと同様であるため説明を省略する。
【００３５】
以上説明したように本発明においては、発光させる放電セルを選択するアドレス放電を発生させるアドレス期間とこのアドレス期間で選択した放電セルで維持放電を発生させる維持期間とを有する複数のサブフィールドにより１フィールドを構成してパネルの表示を行うプラズマディスプレイ装置において、先頭のサブフィールドにおいて全ての放電セルで初期化放電を発生させるための全セル初期化パルスを印加する第１のフィールドＦ１と、先頭のサブフィールド以外において前記全セル初期化パルスを印加する第２のフィールドＦ２と、前記全セル初期化パルスを印加するサブフィールドが存在しない第３のフィールドＦ３とをそれぞれ１つ以上設けたもので、全セル初期化パルスを印加するサブフィールド１１は３フィールドに２回となるため、毎フィールドごとに全セル初期化パルスを印加する場合に比べて全セル初期化放電の回数が３分の２となることによって黒輝度が３分の２となり、コントラストを１．５倍に向上させることが可能となる。また、全セル初期化パルスの周期を、毎フィールドごとに全セル初期化パルスを印加する場合に比べて１．５倍に抑えられるため、全セル初期化パルスの発光によるフリッカがほとんど悪化しないという効果も得られる。
【００３６】
ここで、図９、図１０に、サブフィールド１４の他の実施の形態を示しており、以下この例について説明する。なお、図９、図１０は、図８に示すサブフィールド１４の他の例を示すもので、図８と同様、走査電極Ｙ１〜Ｙｎのうちｉ番目の表示ラインを構成する走査電極Ｙｉおよび維持電極Ｘ１〜Ｘｎのうちｉ番目の表示ラインを構成する維持電極Ｘｉおよびデータ電極Ａ１〜Ａｍのうちｊ番目の列に印加されるデータ電極Ａｊにそれぞれ印加される駆動電圧波形を示している。
【００３７】
まず、図９に示す例においては、アドレス期間１６において、走査電極Ｙｉにベース電圧Ｖａを印加し、それに重畳するように、Ｔａ２＞Ｔａとなるようなパルス幅Ｔａ２、電圧Ｖｃのスキャンパルスを表示ラインごとに印加するものである。なお、このとき、維持電極ＸｉにはＶｅの電圧を印加し、データ電極Ａｊには、表示を行う放電セルにのみスキャンパルスに同期したタイミングで、パルス幅Ｔａ２と同じ幅で、電圧Ｖｄのデータパルスを印加している。また、データパルスを印加したときだけ走査電極Ｙｉとデータ電極Ａｊ間の電圧が放電開始電圧を超えるように電圧Ｖｄを設定する。
【００３８】
すなわち、この図９に示す例においては、フィールドＦ２、Ｆ３における少なくとも１つのサブフィールド１４のアドレス期間１６において、パネルの電極に印加する駆動電圧波形のパルス幅を、第１のフィールドＦ１のサブフィールド１１のアドレス期間１６においてパネルの電極に印加する駆動電圧波形のパルス幅よりも広く設定することにより、異なる駆動電圧波形としたものである。
【００３９】
ところで、アドレス放電の起こりやすさは、放電が発生する前の放電セル内のプライミング粒子の状態によって変化する。すなわち、初期化放電や維持放電が発生してから間もない状態でアドレス放電を行う際に、放電によって発生した空間電荷がプライミング粒子として残った状態でアドレス放電が生じるため、プライミング粒子により電子放出や放電の成長が加速されることによって、放電が発生しやすくなって安定したアドレス放電を生じさせることができる。
【００４０】
一方、直前の放電から時間が経ち、プライミング粒子が減少した状態でアドレス放電を開始しようとすると、プライミング粒子の放電補助効果が得られないため、プライミング粒子が十分残っている場合に比べて放電が発生しにくい状態になる。よって、アドレス放電が弱まり、壁電荷の蓄積が十分に行えないため、通常の維持放電を発生させることができなくなり、正常な表示ができなくなることがある。
【００４１】
フィールドの先頭に配置されるサブフィールド１１においては、全セル初期化パルスが印加されて全セル初期化放電が発生した直後にアドレス放電を生じさせるため、アドレス放電時に全セル初期化放電によるプライミング粒子が十分残っており、安定したアドレス放電を生じさせることが可能となる。一方、サブフィールド１４のように、フィールドＦ２、Ｆ３の先頭に配置されるサブフィールドにおいて、全セル初期化パルスが印加されない場合、アドレス放電が全セル初期化パルスが印加されてから長い期間が経過し、全セル初期化放電によるプライミング粒子が消滅して少なくなった状態で生じるため、フィールドＦ１の先頭に配置される全セル初期化パルスを印加するサブフィールド１１に比べてアドレス放電が弱くなってしまう。
【００４２】
この図９に示す例によれば、全セル初期化パルスを印加しないフィールドＦ２、Ｆ３の先頭のサブフィールド１４において、スキャンパルスおよびデータパルスのパルス幅をＴａ２に広げることによって、弱いアドレス放電であっても、壁電荷を蓄積する時間を十分にとることができて蓄積される壁電荷の量が増加する。これは、各電極に電圧が印加され続けることによって、空間電荷が放電セルにかかる電界によって移動して壁電荷となる量が増加するためである。
【００４３】
このように図９に示す例によれば、フィールドＦ２、Ｆ３の先頭に配置される全セル初期化パルスを印加しないサブフィールド１４のアドレス放電においても、全セル初期化パルスを印加するサブフィールド１１におけるアドレス放電によって蓄積される壁電荷と同様の十分な壁電荷を蓄積することが可能となり、正常な維持放電を生じさせることができる。
【００４４】
なお、第２サブフィールド以降において、フィールドで最初にアドレス放電が行われる場合は、維持放電の回数が一般的に第１サブフィールドよりも多くなるため、前のフィールドでの維持放電によるプライミング粒子が多くなり、第１サブフィールドに比べてアドレス放電は安定する。このため、維持放電によるプライミング粒子が最も少なくなる第１サブフィールドでスキャンパルスおよびデータパルスのパルス幅を広げることにより最も大きな効果を得ることが可能となる。しかし、第２サブフィールド以降で、最初にアドレス放電が生じる場合において、最初に第１サブフィールドでアドレス放電を生じる場合と同様にアドレス放電が弱まるため、第２サブフィールド以降に印加するスキャンパルスおよびデータパルスのパルス幅を上記と同様に広げることで、同様の効果が得られる。
【００４５】
また、図１０に示す例においては、アドレス期間１６において、走査電極Ｙｉにベース電圧Ｖａを印加し、それに重畳するように、パルス幅Ｔａ、電圧Ｖｃのスキャンパルスを表示ラインごとに印加し、このとき維持電極ＸｉにはＶｅ２＞ＶｅとなるようなＶｅ２の電圧を印加するものである。すなわち、フィールドＦ２、Ｆ３における少なくとも１つのサブフィールド１４のアドレス期間１６において、パネルの電極に印加する駆動電圧波形の電圧は、フィールドＦ１のサブフィールド１１のアドレス期間１６においてパネルの電極に印加する駆動電圧波形の電圧よりも電位差が大きくなるように設定している。なお、データ電極Ａｊには、表示を行う放電セルにのみスキャンパルスに同期したタイミングで、パルス幅Ｔａ、電圧Ｖｄのデータパルスを印加し、データパルスを印加しており、走査電極Ｙｉとデータ電極Ａｊ間の電圧が放電開始電圧を超えるように電圧Ｖｄを設定している。
【００４６】
この図１０に示す例においても、上記図９に示す実施の形態と同様に、アドレス期間１６における維持電極Ｘｉの電圧を全セル初期化パルスを印加するサブフィールド１１におけるＶｅよりも高いＶｅ２に設定することによって、アドレス放電発生時における走査電極Ｙｉおよび維持電極Ｘｉ間の電圧差を高くすることができ、走査電極Ｙｉおよび維持電極Ｘｉ間の放電を強めることができる。よって、走査電極Ｙｉおよび維持電極Ｘｉ間に十分な壁電荷が蓄積されることになり、正常な維持放電を生じさせることができる。
【００４７】
なお、第２サブフィールド以降においてフィールドＦ２、Ｆ３で最初にアドレス放電が行われる場合は、維持放電の回数が一般的に第１サブフィールドよりも多くなるため、前のフィールドでの維持放電によるプライミング粒子が多くなり、第１サブフィールドに比べてアドレス放電は安定する。このため、維持放電によるプライミング粒子が最も少なくなる第１サブフィールドで維持電極Ｘｉの電圧を高くすることにより最も大きな効果が得られる。しかし、最初に第２サブフィールド以降でアドレス放電が生じる場合においても、最初に第１サブフィールドでアドレス放電を生じる場合と同様にアドレス放電が弱まるため、第２サブフィールド以降のアドレス期間において維持電極Ｘｉの電圧を高くすることで、同様の効果が得られる。
【００４８】
次に、本発明において、全セル初期化パルスを印加するサブフィールド１１の間隔について説明すると、図１１は、本発明において、全セル初期化パルスを印加するサブフィールド１１の位置を示したものであり、Ｔｓ１およびＴｓ２は、時間的に隣り合う全セル初期化パルスを印加するサブフィールド間の時間である。
【００４９】
図１１において、Ｔｓ１およびＴｓ２の差が大きくなるにつれて、全セル初期化放電による発光の周波数が低くなることによりフリッカが悪化するが、Ｔｓ１とＴｓ２をほぼ同じ値に設定することで、黒表示時におけるフリッカを悪化させることなくコントラストを向上させることが可能となる。なお、実験結果によれば、１フィールドの期間が２０ｍｓｅｃであって、毎フィールドに全セル初期化パルスを印加する場合の黒輝度が０．１８ｃｄ／ｍ2である場合に、Ｔｓ１のばらつきがＴｓ２±４００μｓｅｃ以下であれば、フリッカが問題ないレベルとなることが分かった。
【００５０】
すなわち、本発明において、時間的に隣り合う２つの全セル初期化パルスを印加するサブフィールドの間隔は、所定の間隔をＴｓとすると、Ｔｓ±４００μｓｅｃ以内の間隔とすることにより、黒表示時におけるフリッカを悪化させることなくコントラストを向上させることが可能となるという効果も得られる。
【産業上の利用可能性】
【００５１】
以上のように本発明は、高コントラストを実現できるプラズマディスプレイ装置を提供する上で有用な発明である。
【図面の簡単な説明】
【００５２】
【図１】本発明の一実施の形態によるプラズマディスプレイ装置に用いるパネルの要部を示す斜視図
【図２】同じくパネルの電極構成を示す説明図
【図３】本発明のプラズマディスプレイ装置のフィールドの構成を示す説明図
【図４】本発明のプラズマディスプレイ装置のフィールドの構成を示す説明図
【図５】本発明のプラズマディスプレイ装置による駆動電圧波形を示す波形図
【図６】本発明のプラズマディスプレイ装置による駆動電圧波形を示す波形図
【図７】本発明のプラズマディスプレイ装置による駆動電圧波形を示す波形図
【図８】本発明のプラズマディスプレイ装置による駆動電圧波形を示す波形図
【図９】本発明の他の実施の形態による駆動電圧波形を示す波形図
【図１０】本発明の他の実施の形態による駆動電圧波形を示す波形図
【図１１】本発明のプラズマディスプレイ装置において、フィールドの構成を示す説明図
【符号の説明】
【００５３】
１  前面基板
２  背面基板
３  走査電極
４  維持電極
８  データ電極
１１  全セル初期化パルスを印加するサブフィールド
１２、１３、１４  全セル初期化パルスを印加しないサブフィールド
１５  全セル初期化期間
１６  アドレス期間
１７  維持期間
１８  選択初期化期間
【図１】
2009192592.tif 000003
【図２】
2009192592.tif 000004
【図３】
2009192592.tif 000005
【図４】
2009192592.tif 000006
【図５】
2009192592.tif 000007
【図６】
2009192592.tif 000008
【図７】
2009192592.tif 000009
【図８】
2009192592.tif 000010
【図９】
2009192592.tif 000011
【図１０】
2009192592.tif 000012
【図１１】
2009192592.tif 000013